(57)【要約】      （修正有）【課題】ディスプレイ表面の視認性や見栄えが低下することを適切に回避しつつ、プッシュ型スイッチの操作を適切に行えるようにする。【解決手段】保護部材９は、基材層１２と粘着層１３とを有する保護フィルム１０と、保護フィルムの使用前には粘着層の片面全体に貼着されており、保護フィルムの使用時には粘着層から一部が剥離されると共に残りの部分が剥離されないセパレータ１１と、を備える。オーバーレイカバー７にディスプレイ表面が設けられていると共に開口部８ｄからプッシュ型スイッチ１６のプッシュ板１７の上面１７ａが露出されている前面パネルの表面に保護フィルムが貼着される際には、オーバーレイカバーの表面７ａの一部に粘着層が粘着されると共にプッシュ型スイッチのプッシュ板の上面及び当該上面周辺に粘着層が粘着されないように前面パネルの表面に保護フィルムが貼着される。【選択図】図９
2020095117.tif 000002
【特許請求の範囲】
【請求項１】
基材層（１２）と、前記基材層に粘着剤が塗布されている粘着層（１３）と、を有する保護フィルム（１０）と、
前記保護フィルムの使用前には前記粘着層の片面全体に貼着されており、前記保護フィルムの使用時には前記粘着層から一部が剥離されると共に残りの部分が剥離されないセパレータ（１１）と、を備え、
オーバーレイカバー（７）にディスプレイ表面（４）が設けられていると共に開口部（８ｂ〜８ｇ）からプッシュ型スイッチ（１６）のプッシュ板（１７）の上面（１７ａ）が露出されている前面パネル（３）の表面（３ａ）に前記保護フィルムが貼着される際には、前記オーバーレイカバーの表面（７ａ）の一部に前記粘着層が粘着されると共に前記プッシュ型スイッチの前記プッシュ板の上面及び当該上面周辺に前記粘着層が粘着されないように前記前面パネルの表面に前記保護フィルムが貼着される保護部材。
【請求項２】
前記プッシュ型スイッチの前記プッシュ板の上面及び当該上面周辺に対応する部分では前記粘着層から前記セパレータが剥離されないことで、前記プッシュ型スイッチの前記プッシュ板の上面及び当該上面周辺に前記粘着層が粘着されないように前記前面パネルの表面に前記保護フィルムが貼着される請求項１に記載した保護部材。
【請求項３】
前記ディスプレイ表面に対向する画面表示部（８ａ）が前記オーバーレイカバーに設けられ、
前記画面表示部に対応する部分でも前記粘着層から前記セパレータが剥離されないことで、前記画面表示部に前記粘着層が粘着されないように前記前面パネルの表面に前記保護フィルムが貼着される請求項２に記載した保護部材。
【請求項４】
前記オーバーレイカバーの表面において対向する複数箇所で前記粘着層が粘着されるように前記前面パネルの表面に前記保護フィルムが貼着される請求項１から３の何れか一項に記載した保護部材。
【請求項５】
前記オーバーレイカバーの表面において左右方向の対向する複数箇所で前記粘着層が粘着されるように前記前面パネルの表面に前記保護フィルムが貼着される請求項４に記載した保護部材。
【請求項６】
前記セパレータにおいて前記粘着層から剥離されない部分に切込み（２４）が形成されている請求項１から５の何れか一項に記載した保護部材。
【請求項７】
オーバーレイカバー（７）にディスプレイ表面（４）が設けられていると共に開口部（８ｂ〜８ｇ）からプッシュ型スイッチ（１６）のプッシュ板（１７）の上面（１７ａ）が露出されている前面パネル（３）と、
基材層（１２）と、前記基材層に粘着剤が塗布されている粘着層（１３）と、を有する保護フィルム（１０）と、を備え、
前記保護フィルムは、前記オーバーレイカバーの表面（７ａ）の一部に前記粘着層が粘着されると共に前記プッシュ型スイッチの前記プッシュ板の上面及び当該上面周辺に前記粘着層が粘着されないように前記前面パネルの表面（３ａ）に貼着されている電子機器。
【請求項８】
前記保護フィルムは、前記プッシュ型スイッチの前記プッシュ板の上面及び当該上面周辺に対応する部分では前記粘着層から前記セパレータが剥離されていないことで、前記プッシュ型スイッチの前記プッシュ板の上面及び当該上面周辺に前記粘着層が粘着されないように前記前面パネルの表面に貼着されている請求項７に記載した電子機器。
【請求項９】
前記オーバーレイカバーは、前記ディスプレイ表面に対向する画面表示部（８ａ）を備え、
前記保護フィルムは、前記画面表示部に対応する部分でも前記粘着層から前記セパレータが剥離されていないことで、前記画面表示部に前記粘着層が粘着されないように前記前面パネルの表面に貼着されている請求項８に記載した電子機器。
【請求項１０】
前記保護フィルムは、前記オーバーレイカバーの表面において対向する複数箇所で前記粘着層が粘着されるように前記前面パネルの表面に貼着されている請求項７から９の何れか一項に記載した電子機器。
【請求項１１】
前記保護フィルムは、前記オーバーレイカバーの表面において左右方向の対向する複数箇所で前記粘着層が粘着されるように前記前面パネルの表面に貼着されている請求項１０に記載した電子機器。
【請求項１２】
前記セパレータにおいて前記粘着層から剥離されていない部分に切込み（２４）が形成されている請求項７から１１の何れか一項に記載した電子機器。
【発明の詳細な説明】
【技術分野】
【０００１】
本発明は、保護部材及び電子機器に関する。
【背景技術】
【０００２】
ディスプレイを有する電子機器においては、例えば特許文献１に開示されているように、ディスプレイ表面に傷や汚れが付着することを防止するために、ディスプレイ表面に保護フィルムが貼着される構成となっている。保護フィルムは、透明性及び柔軟性を有する樹脂からなる基材層と、基材層の片面全体に粘着剤が塗布されている粘着層とを有し、使用前には粘着層の片面全体にセパレータが貼着されている。保護フィルムは、使用時には粘着層からセパレータが剥離されて粘着層が露出され、その露出された粘着層がディスプレイ表面に粘着される。
【先行技術文献】
【特許文献】
【０００３】
【特許文献１】特許第６３７４２２３号公報
【発明の概要】
【発明が解決しようとする課題】
【０００４】
例えば車両のダッシュボードに配置されるセンターディスプレイ機器では、透明なオーバーレイカバーの一部が画面表示部とされており、その画面表示部に対向してディスプレイ表面が配置されていると共に、ディスプレイ表面周辺にユーザが押下可能なプッシュ型スイッチが配置されている場合がある。この場合、オーバーレイカバーに開口部が形成され、その開口部からプッシュ型スイッチのプッシュ板の上面が露出されることで、前面パネルが構成されている。このような構成では、前面パネルの表面全体に粘着層が粘着されることで、画面表示部に保護フィルムが貼着され、画面表示部に傷や汚れが付着することを防止し、ディスプレイ表面の視認性や見栄えが低下することを回避することができる。
【０００５】
しかしながら、前面パネルの表面全体に粘着層が粘着される構成では、画面表示部だけでなく、プッシュ型スイッチのプッシュ板の上面及び当該上面周辺でも粘着層が粘着される。そのため、保護フィルムの張力によりプッシュ板を押下することができない問題が懸念される。又、プッシュ板を押下することができたとしても、保護フィルムの粘着力によりプッシュ板が元の位置まで復帰しない問題も懸念される。
【０００６】
本発明は、上記した事情に鑑みてなされたものであり、その目的は、電子機器の前面パネルの表面に保護フィルムが貼着されることで、ディスプレイ表面の視認性や見栄えが低下することを適切に回避しつつ、プッシュ型スイッチの操作を適切に行うことができる保護部材及び電子機器を提供することにある。
【課題を解決するための手段】
【０００７】
請求項１に記載した保護部材によれば、基材層（１２）と、基材層に粘着剤が塗布されている粘着層（１３）と、を有する保護フィルム（１０）と、保護フィルムの使用前には粘着層の片面全体に貼着されており、保護フィルムの使用時には粘着層から一部が剥離されると共に残りの部分が剥離されないセパレータ（１１）と、を備える。オーバーレイカバー（７）にディスプレイ表面（４）が設けられていると共に開口部（８ｂ〜８ｇ）からプッシュ型スイッチ（１６）のプッシュ板（１７）の上面（１７ａ）が露出されている前面パネル（３）の表面（３ａ）に保護フィルムが貼着される際には、オーバーレイカバーの表面（７ａ）の一部に粘着層が粘着されると共にプッシュ型スイッチのプッシュ板の上面及び当該上面周辺に粘着層が粘着されないように前面パネルの表面に保護フィルムが貼着される。
【０００８】
オーバーレイカバーの表面の一部に粘着層が粘着されるようにしたので、前面パネルの表面に保護フィルムが貼着されることで、ディスプレイ表面の視認性や見栄えが低下することを適切に回避することができる。プッシュ型スイッチのプッシュ板の上面及び当該上面周辺に粘着層が粘着されないようにしたので、保護フィルムの張力や粘着力が作用することがなく、プッシュ型スイッチの操作を適切に行うことができる。これにより、電子機器の前面パネルの表面に保護フィルムが貼着されることで、ディスプレイ表面の視認性や見栄えが低下することを適切に回避しつつ、プッシュ型スイッチの操作を適切に行うことができる。
【０００９】
請求項７に記載した電子機器によれば、オーバーレイカバー（７）にディスプレイ表面（４）が設けられていると共に開口部（８ｂ〜８ｇ）からプッシュ型スイッチ（１６）のプッシュ板（１７）の上面（１７ａ）が露出されている前面パネル（３）と、基材層（１２）と、基材層に粘着剤が塗布されている粘着層（１３）と、を有する保護フィルム（１０）と、を備える。保護フィルムは、オーバーレイカバーの表面（７ａ）の一部に粘着層が粘着されると共にプッシュ型スイッチのプッシュ板の上面及び当該上面周辺に粘着層が粘着されないように前面パネルの表面（３ａ）に貼着されている。
【００１０】
請求項１に記載した保護部材と同様に、電子機器の前面パネルの表面に保護フィルムが貼着されることで、ディスプレイ表面の視認性や見栄えが低下することを適切に回避しつつ、プッシュ型スイッチの操作を適切に行うことができる。
【図面の簡単な説明】
【００１１】
【図１】一実施形態を示し、センターディスプレイ機器が車両に配置されている態様を示す図
【図２】オーバーレイカバーの正面図
【図３】保護部材の断面図
【図４】保護部材の正面図
【図５】プッシュ型スイッチ及び周辺の断面図（その１）
【図６】プッシュ型スイッチ及び周辺の断面図（その２）
【図７】オーバーレイカバーの粘着部及び非粘着部を示す図
【図８】保護フィルムが貼着されている状態のプッシュ型スイッチ及び周辺の断面図（その１）
【図９】保護フィルムが貼着されている状態のプッシュ型スイッチ及び周辺の断面図（その２）
【図１０】管理ラベルが貼着されている態様を示す図
【発明を実施するための形態】
【００１２】
以下、本発明の一実施形態について図面を参照して説明する。図１に示すように、車室内において、ダッシュボード１にはセンターディスプレイ機器２（電子機器）が配置されている。センターディスプレイ機器２の前面パネル３の表面３ａにはディスプレイ表面４が設けられていると共に、回転型スイッチの操作つまみ５ａ，５ｂ、プッシュ型スイッチのプッシュ板６ａ〜６ｆの上面が露出されている。乗員は、センターディスプレイ機器２の前面パネル３において回転型スイッチの操作つまみ５ａ，５ｂやプッシュ型スイッチのプッシュ板６ａ〜６ｆを操作可能となっている。
【００１３】
図２に示すように、前面パネル３は、所定形状のオーバーレイカバー７の中央部に矩形状の画面表示部８ａが設けられていると共に、その画面表示部８ａの横に複数の開口部８ｂ〜８ｇが形成されて構成されている。オーバーレイカバー７は、透明樹脂で成形されており、画面表示部８ａを除く部分が例えば黒色インクにより着色されている。例えばネジ止め等で前面パネル３が機器本体（図示せず）に取付けられた状態では、画面表示部８ａにディスプレイ表面４が対向し、円形状の開口部８ｂ，８ｃから回転型スイッチの操作つまみ５ａ，５ｂが露出され、矩形状の開口部８ｄ〜８ｇからプッシュ型スイッチのプッシュ板６ａ〜６ｆの上面が露出される。即ち、乗員は、画面表示部８ａを通してディスプレイ表面４を視認可能となっている。開口部８ｄ，８ｆから１個分のプッシュ型スイッチのプッシュ板６ａ，６ｄの上面が露出され、開口部８ｅ，８ｇから２個分のプッシュ型スイッチのプッシュ板６ｂ，６ｃ，６ｅ，６ｆの上面が露出される。図１にも示したように、乗員から見てディスプレイ表面４の右側に回転型スイッチの操作つまみ５ａ及びプッシュ型スイッチのプッシュ板６ａ〜６ｃが配置され、ディスプレイ表面４の左側に回転型スイッチの操作つまみ５ｂ及びプッシュ型スイッチのプッシュ板６ｄ〜６ｆが配置される。
【００１４】
ディスプレイ表面４には、例えばナビゲーション機能の地図画面、オーディオ機能の設定画面、エアコン機能の設定画面等が表示され、その画面上で各種タッチボタンが表示される。オーバーレイカバー７において画面表示部８ａは、静電容量式のタッチセンサを有し、ユーザが画面表示部８ａにおいてタッチボタンに対応する箇所をタッチ操作すると、そのタッチ操作を検知する。回転型スイッチは、例えば音量を調整するためのボリュームスイッチ、ラジオの受信局を選択するためのチューンスイッチ等である。プッシュ型スイッチは、例えば各種項目を選択したり決定したりするためのスイッチ等である。
【００１５】
前面パネル３が機器本体に取付けられた状態では、回転型スイッチの操作つまみ５ａ，５ｂは、オーバーレイカバー７の表面７ａから前方（乗員方向）に突出し、ディスプレイ表面４及びプッシュ型スイッチのプッシュ板６ａ〜６ｆの上面は、オーバーレイカバー７の表面７ａと略面一となる。ここでいう略面一とは、完全な同一平面だけでなく、ディスプレイ表面４及びプッシュ型スイッチのプッシュ板６ａ〜６ｆの上面がオーバーレイカバー７の表面７ａから僅かに凹んでいたり凸んでいたりする状態の意味も含む。又、オーバーレイカバー７の表面７ａは、完全な平面ではなく僅かに湾曲した形状であり、上下方向で僅かに凸状に湾曲していると共に、左右方向でも僅かに凸状に湾曲した曲面構造となっている。
【００１６】
車両がユーザの手元に届くまでの製造過程や配送過程では、ディスプレイ表面４に対向する画面表示部８ａに傷や汚れが付着することを防止するために、車両メーカー側で前面パネル３の表面３ａに保護フィルムが貼着される。尚、ユーザが車両を購入した後に、ディスプレイ表面４に対向する画面表示部８ａに傷や汚れが付着することを防止するために、ユーザ自身で保護フィルムが貼着される場合もある。
【００１７】
以下、保護フィルムについて説明する。図３に示すように、保護部材９は、保護フィルム１０の片面全体にセパレータ１１が貼着されて構成されている。保護フィルム１０は、保護フィルム１０からセパレータ１１が剥離されることで使用される。図４に示すように、保護フィルム１０及びセパレータ１１の外形は、前面パネル３の外形と略同一である。ここでいう略同一とは、完全な同一形状だけでなく、僅かに相違している状態の意味も含む。保護フィルム１０には、前面パネル３の表面３ａに貼着されたときに上記した回転型スイッチの操作つまみ５ａ，５ｂが挿通される円形状の開口部１４ａ，１４ｂが形成されている。尚、セパレータ１１には、後述するように開口部１４ａ，１４ｂに対応する部分が保護フィルム１０から剥離されるので、開口部１４ａ，１４ｂに相当する開口部は形成されていない。
【００１８】
保護フィルム１０は、基材層１２と、基材層１２の片面全体に粘着剤が塗布されている粘着層１３とを有する。基材層１２は、前面パネル３の表面３ａに保護フィルム１０が貼着された状態で外部に露出する層である。即ち、基材層１２は、実際にディスプレイ表面４を傷や汚れから保護する層である。粘着層１３は、使用前にはセパレータ１１が貼着され、使用時には後述するようにセパレータ１１の一部が剥離される層であり、そのセパレータ１１が剥離された一部がオーバーレイカバー７の表面７ａに貼着される層である。
【００１９】
基材層１２は、前面パネル３の表面３ａに保護フィルム１０が貼着された状態でディスプレイ表面４やプッシュ型スイッチのプッシュ板６ａ〜６ｆの上面が視認可能となるように、且つプッシュ板６ａ〜６ｆの上面が押下された際に撓むように透明性及び柔軟性を有する樹脂から構成されている。基材層１２に採用される樹脂としては、例えばシリコン樹脂、オレフィン系樹脂、ＰＥＴ（Poly Ethylene Terephthalate）樹脂等を挙げることができる。
【００２０】
粘着層１３は、前面パネル３の表面３ａに保護フィルム１０が貼着された状態でディスプレイ表面４やプッシュ型スイッチ６ａ〜６ｆのプッシュ板の上面が視認可能となるように透明性を有する粘着剤から構成されている。又、粘着層１３は、セパレータ１１が貼着される際には密着性が高く、且つセパレータ１１が剥離される際には簡単に剥離可能な性質の粘着剤であることが好ましい。粘着層１３に採用される粘着剤としては、例えばアクリル系粘着剤、シリコン系粘着剤等を挙げることができる。
【００２１】
セパレータ１１は、保護フィルム１０の使用前において粘着層１３に貼着されており、上記したように保護フィルム１０の使用時において一部だけが粘着層１３から剥離される。保護フィルム１０の使用前において粘着層１３が露出されていると粘着力が低下してしまうので、粘着力の低下を未然に回避するために粘着層１３にセパレータ１１が貼着されている。
【００２２】
本実施形態では、上記したように保護フィルム１０の使用時においてセパレータ１１の全体が粘着層１３から剥離されるのではなく、セパレータ１１の一部だけが粘着層１３から剥離されるので、粘着層１３から剥離される部分が剥離され易いように切込みが形成されている。即ち、セパレータ１１は、切込みにより粘着層１３から剥離される部分と剥離されずに残る部分とに分離される。具体的に説明すると、図４に示すように、Ａ１−Ａ２で示す切込み１５ａと、Ａ３−Ａ４で示す切込み１５ｂとの２本の切込み１５ａ，１５ｂが形成されている。切込み１５ａの外側（右側）であるＳ１、切込み１５ｂの外側（左側）であるＳ２の部分が粘着層１３から剥離される部分である。切込み１５ａの内側（左側）であり且つ切込み１５ｂの内側（右側）であるＳ３の部分が粘着層１３から剥離されずに残る部分である。粘着層１３から剥離されずに残る部分の横方向の長さ（図４中Ｗ１）は、上記した画面表示部８ａの横方向の長さ（図２中Ｗ２）よりも僅かに長く、粘着層１３から剥離されずに残る部分の縦方向の長さ（図４中Ｈ１）は、上記した画面表示部８ａの縦方向の長さ（図２中Ｈ２）よりも僅かに長い。即ち、画面表示部８ａの全体に対応する部分で、粘着層１３からセパレータ１１が剥離されずに残る。
【００２３】
セパレータ１１も、基材層１２と同様に、前面パネル３の表面３ａに保護フィルム１０が貼着された状態でディスプレイ表面４やプッシュ型スイッチのプッシュ板６ａ〜６ｆの上面が視認可能となるように、且つプッシュ板６ａ〜６ｆの上面が押下された際に撓むように透明性及び柔軟性を有する樹脂から構成されている。ただし、基材層１２にある程度の強度があれば、基材層１２ほどの強度は不要である。セパレータ１１に採用される樹脂としては、例えばアルキル系樹脂、シリコン系樹脂を挙げることができる。
【００２４】
図５及び図６に示すように、プッシュ型スイッチ１６は、プッシュ板１７と、タクトスイッチ１８とを有する。図５及び図６に示すプッシュ板１７は、オーバーレイカバー７の開口部８ｄから上面が露出される図１に示したプッシュ板６ａと同じ部材である。オーバーレイカバー７の他の開口部８ｅ〜８ｇから上面が露出される図１に示した他のプッシュ板６ｂ〜６ｆについても同様である。オーバーレイカバー７の裏面７ｂにはリフレクタ１９がネジ２０によりネジ止めで固定されている。プッシュ板１７は、オーバーレイカバー７の表面７ａに対して垂直方向、即ち、ダッシュボード１にセンターディスプレイ機器２が配置されている状態では前後方向に往復移動可能にリフレクタ１９により支持されている。タクトスイッチ１８は、ラバー２１と、ベース２２とを有する。ラバー２１は、プッシュ板１７の先端部に当該プッシュ板１７と一体的に往復移動可能に固定されている。ベース２２は、プリント基板２３に固定されている。
【００２５】
プッシュ板１７が押下されていない状態では、上記したようにプッシュ板１７の上面１７ａとオーバーレイカバー７の表面７ａとが略面一であり、電気的な接点が開状態であり、タクトスイッチ１８がオフ状態である。プッシュ板１７に上方からの押圧力が加わると、プッシュ板１７の上面１７ａがオーバーレイカバー７の表面７ａから凹み、ラバー２１がベース２２側に移動されることで電気的な接点が開状態から閉状態になり、タクトスイッチ１８がオン状態になる。プッシュ板１７に加わっていた押圧力か解かれると、オーバーレイカバー７の表面７ａから凹んでいたプッシュ板１７の上面１７ａが元の位置まで戻り、ベース２２側に移動されていたラバー２１が元の位置まで戻り、電気的な接点が閉状態から開状態に戻り、タクトスイッチ１８がオフ状態に戻る。
【００２６】
次に、前面パネル３の表面３ａに保護フィルム１０が貼着される態様について説明する。図７に示すように、オーバーレイカバー７の表面７ａは、保護フィルム１０の使用時において粘着層１３からセパレータ１１が剥離される部分（図４に示したＳ１，Ｓ２の部分）に対応する部分（Ｔ１，Ｔ２の部分）が、粘着層１３が粘着される粘着部とされている。又、オーバーレイカバー７の表面７ａは、粘着層１３からセパレータ１１が剥離されずに残る部分（図４に示したＳ３の部分）に対応する部分（Ｔ３の部分）が、粘着層１３が粘着されない非粘着部とされている。即ち、画面表示部８ａ，開口部８ｄ〜８ｇは非粘着部とされている。
【００２７】
保護フィルム１０の粘着層１３は、セパレータ１１が剥離される左右上側の部分がオーバーレイカバー７の表面７ａに粘着される。又、保護フィルム１０の粘着層１３は、セパレータ１１が剥離されずに残る中央の部分及び左右下側の部分がオーバーレイカバー７の表面７ａに粘着されない。
【００２８】
前面パネル３の表面３ａに保護フィルム１０を貼着する場合には、図４に示したＳ１，Ｓ２の部分のセパレータ１１を粘着層１３から剥離すると共にＳ３の部分のセパレータ１１を粘着層１３から剥離せずに残す。そして、保護フィルム１０の粘着層１３のＳ１，Ｓ２の部分に対応する部分と、オーバーレイカバー７の表面７ａのＴ１，Ｔ２の部分との位置を合わせ、保護フィルム１０の粘着層１３をオーバーレイカバー７の表面７ａに粘着させる。このとき、保護フィルム１０の粘着層１３が画面表示部８ａ及びプッシュ型スイッチ１６のプッシュ板１７の上面１７ａ及び当該上面１７ａ周辺に粘着されない。即ち、保護フィルム１０は、画面表示部８ａを挟む２か所で粘着層１３が粘着されることでオーバーレイカバー７の表面７ａに貼着される。尚、粘着層１３が粘着される部分の上下方向にある程度の長さを持たせることで、前面パネル３の表面３ａに貼着された保護フィルム１０が剥離され難くなる。
【００２９】
このように粘着層１３の一部をオーバーレイカバー７の表面７ａに粘着させることで、前面パネル３の表面３ａに保護フィルム１０を貼着することができる。図８及び図９に示すように、前面パネル３の表面３ａに保護フィルム１０が貼着された状態では、プッシュ型スイッチ１６のプッシュ板１７の上面１７ａ及び当該上面１７ａ周辺でセパレータ１１が剥離されずに残っている。プッシュ型スイッチ１６のプッシュ板１７の上面１７ａ及び当該上面１７ａ周辺に粘着層１３が粘着されていないので、保護フィルム１０の張力や粘着力が作用することがない。そのため、前面パネル３の表面３ａに保護フィルム１０が貼着されている場合でも、前面パネル３の表面３ａに保護フィルム１０が貼着されていない上記した図５及び図６に示したときと同じように、プッシュ型スイッチ１６の操作を適切に行うことができる。尚、図８及び図９では、保護フィルム１０及びセパレータ１１の厚さを誇張して図示しているが、実際には保護フィルム１０及びセパレータ１１の厚さはオーバーレイカバー７の厚さに対して極めて薄い。
【００３０】
又、このように保護フィルム１０が貼着された状態でセパレータ１１が剥離されずに残っているので、図１０に示すように、セパレータ１１に切込み２４が形成されることで、その切込み２４を例えば製造過程内での管理ラベル２５の貼着位置の目印として使用可能である。尚、上記した切込み１５ａ，１５ｂ，２４は、保護フィルム１０にセパレータ１１を貼着した後にハーフカットの手法によりセパレータ１１に形成しても良いし、保護フィルム１０にセパレータ１１を貼着する前にセパレータ１１に形成しても良い。
【００３１】
又、オーバーレイカバー７の表面７ａが曲面構造であると、オーバーレイカバー７の表面７ａに平面形状の保護フィルム１０が貼着された際に、湾曲しているオーバーレイカバー７の表面７ａの形状と平面形状の保護フィルム１０の形状とが整合せずに保護フィルム１０が浮いてしまい、気泡や皺の発生が懸念される。本実施形態では、粘着層１３の全体が粘着される場合に比べ、粘着層１３の一部だけが粘着され、粘着層１３が粘着される面積が小さいので、気泡や皺の発生を抑えることができる。即ち、粘着層１３が粘着される面積が大きいほど気泡や皺の発生が懸念されるが、本実施形態では、粘着層１３が粘着される面積を小さくすることで、気泡や皺の発生を抑えることができる。その結果、気泡や皺の発生により見栄えが低下することを回避することができる。
【００３２】
以上に説明したように本実施形態によれば、以下に示す作用効果を得ることができる。オーバーレイカバー７の表面７ａの一部に粘着層１３が粘着されるようにしたので、前面パネル３の表面３ａに保護フィルム１０が貼着されることで、ディスプレイ表面４の視認性や見栄えが低下することを適切に回避することができる。プッシュ型スイッチ１６のプッシュ板１７の上面１７ａ及び当該上面１７ａ周辺に粘着層１３が粘着されないようにしたので、保護フィルム１０の張力や粘着力が作用することがなく、プッシュ型スイッチ１６の操作を適切に行うことができる。これにより、前面パネル３の表面３ａに保護フィルム１０が貼着されることで、画面表示部８ａに傷や汚れが付着することを防止し、ディスプレイ表面４の視認性や見栄えが低下することを適切に回避しつつ、プッシュ型スイッチ１６の操作を適切に行うことができる。
【００３３】
又、オーバーレイカバー７の表面７ａの全体に粘着層１３が粘着される場合と比べ、オーバーレイカバー７の表面７ａに貼着されている保護フィルム１０を剥離させる際に糊残りが発生し得る面積を少なくすることができる。これにより、糊残りの発生による見栄えの悪化を未然に回避することができる。
【００３４】
又、オーバーレイカバー７の表面７ａとプッシュ型スイッチ１６のプッシュ板１７の上面１７ａとで加飾方法が異なる場合、プッシュ板１７の上面１７ａ及び当該上面１７ａ周辺に粘着層１３が粘着される構成では、オーバーレイカバー７の表面７ａとプッシュ板１７の上面１７ａとの両方について粘着層１３に対する耐性及び糊残り耐性を評価する必要がある。これに対し、プッシュ板１７の上面１７ａだけについて粘着層１３に対する耐性及び糊残り耐性を評価すれば良く、開発コスト及び開発期間を抑えることができ、開発の効率化を図ることができる。
【００３５】
又、プッシュ型スイッチ１６のプッシュ板１７の上面１７ａ及び当該上面１７ａ周辺だけでなく、ディスプレイ表面４に対向する画面表示部８ａにも粘着層１３が粘着されないようにしたので、気泡や皺の発生によりディスプレイ表面４の視認性や見栄えが低下することも適切に回避することができる。
【００３６】
又、オーバーレイカバー７の表面７ａにおいて左右方向の対向する２か所で粘着層１３が粘着されるようにしたので、例えば保護フィルム１０の右端を右手で保持すると共に左端を左手で保持し、前面パネル３の表面３ａに保護フィルム１０を貼着する場合に、左右のバランスを均等に調整し易くなり、保護フィルム１０を貼着する際の作業性を高めることができる。
【００３７】
又、従来では、製造工程や検査工程においてプッシュ型スイッチ１６の動作確認後でしか保護フィルム１０を貼着することができず、製造工程や検査工程で画面表示部８ａに傷や汚れが付着することが懸念されていたが、本実施形態では、プッシュ型スイッチ１６の動作確認前でも保護フィルム１０を貼着することができ、製造工程や検査工程で画面表示部８ａに傷や汚れが付着することを適切に防止することができる。又、製造工程や検査工程の手順の自由度を高めることもできる。又、保護フィルム１０を貼着後にプッシュ型スイッチ１６の動作確認する必要が発生した場合、従来では、保護フィルム１０を部分的に剥離する必要があったが、本実施形態では、保護フィルム１０を部分的に剥離する必要がない。
【００３８】
本開示は、実施例に準拠して記述されたが、当該実施例や構造に限定されるものではないと理解される。本開示は、様々な変形例や均等範囲内の変形をも包含する。加えて、様々な組み合わせや形態、更には、それらに一要素のみ、それ以上、或いはそれ以下を含む他の組み合わせや形態をも、本開示の範疇や思想範囲に入るものである。
【００３９】
電子機器は、センターディスプレイ機器２に限らず、他の車載機器であっても良い。又、車載の用途以外の別の用途の電子機器であっても良い。
回転型スイッチやプッシュ型スイッチのレイアウトや個数は任意である。即ち、プッシュ型スイッチのレイアウトや個数に応じて、セパレータ１１において、粘着層１３から剥離される部分と粘着層１３から剥離されずに残る部分とのレイアウトや形状や面積比等を決定すれば良い。
前面パネル３の表面３ａにおいて、ディスプレイ表面４がオーバーレイカバー７の画面表示部８ａに覆われている構成を例示したが、ディスプレイ表面４が露出されている構成でも良い。
【符号の説明】
【００４０】
図面中、２はセンターディスプレイ機器（電子機器）、３は前面パネル、３ａは表面、４はディスプレイ表面、７はオーバーレイカバー、７ａは表面、８ａは画面表示部、８ｂ〜８ｇは開口部、９は保護部材、１０は保護フィルム、１１はセパレータ、１２は基材層、１３は粘着層、１６はプッシュ型スイッチ、１７はプッシュ板、１７ａは上面、２４は切込みである。
【図１】
2020095117.tif 000003
【図２】
2020095117.tif 000004
【図３】
2020095117.tif 000005
【図４】
2020095117.tif 000006
【図５】
2020095117.tif 000007
【図６】
2020095117.tif 000008
【図７】
2020095117.tif 000009
【図８】
2020095117.tif 000010
【図９】
2020095117.tif 000011
【図１０】
2020095117.tif 000012